【手続補正書】
【提出日】平成25年11月29日(2013.11.29)
【手続補正１】
【補正対象書類名】明細書
【補正対象項目名】発明の名称
【補正方法】変更
【補正の内容】
【発明の名称】撮像装置、撮像方法、及びプログラム
【手続補正２】
【補正対象書類名】明細書
【補正対象項目名】０００１
【補正方法】変更
【補正の内容】
【０００１】
本発明は、光学レンズから絞り部を通して撮像素子に結像される被写体像を撮影する撮像装置、撮像方法、及びプログラムに関する。
【手続補正３】
【補正対象書類名】明細書
【補正対象項目名】０００７
【補正方法】変更
【補正の内容】
【０００７】
上述した課題を解決するために請求項１記載の発明は、
光学レンズから絞り部を通して撮像素子に結像される被写体像を撮影する撮像装置であって、
当該撮像装置が重力方向に対して縦向きの場合に３次元撮影を行うための第１の３次元撮影手段と、
当該撮像装置が重力方向に対して横向きの場合に３次元撮影を行うための第２の３次元撮影手段と、
当該撮像装置の重力方向に対する向きを検出する検出手段と、
前記検出手段により検出された当該撮像装置の重力方向に対する向きに応じて、前記第１の３次元撮影手段或いは前記第２の３次元撮影手段に切り替えることにより、１の光学レンズ又は１の撮像素子を共用して３次元撮影を制御する撮影制御手段と、
を備えることを特徴とする。
【手続補正４】
【補正対象書類名】明細書
【補正対象項目名】０００８
【補正方法】変更
【補正の内容】
【０００８】
請求項１に従属する発明として、
前記絞り部は、前記光学レンズと前記撮像素子の間に挿入されていてその光軸の両側に離間してそれぞれ形成されている２つの孔を有し、
前記第１の３次元撮影手段及び第２の３次元撮影手段は、前記２つの孔を順次択一的に開放しながらその孔を通して前記撮像素子にそれぞれ結像された２つの被写体像を、視差を持った２つの被写体像として取得する構成であり、かつ、前記第１の３次元撮影手段と第２の３次元撮影手段とは、前記光軸を通る直線上に前記２つの孔が並んでいる状態での並びの向きが略９０°それぞれ異なる、
ようにしたことを特徴とする、請求項２記載の発明であってもよい。
請求項２に従属する発明として、
前記第１の３次元撮影手段用と第２の３次元撮影手段用に独立に前記２つの孔を有する絞り部を有する、
ようにしたことを特徴とする、請求項３記載の発明であってもよい。
【手続補正５】
【補正対象書類名】明細書
【補正対象項目名】０００９
【補正方法】変更
【補正の内容】
【０００９】
請求項２に従属する発明として、
前記２つの孔を有する絞り部を略９０°回転駆動させることによりその絞り部を前記第１の３次元撮影手段用とするか前記第２の３次元撮影手段用とするかに切り替える切り替え手段を更に備える、
ようにしたことを特徴とする、請求項４記載の発明であってもよい。
【手続補正６】
【補正対象書類名】明細書
【補正対象項目名】００１０
【補正方法】変更
【補正の内容】
【００１０】
請求項１〜請求項４のいずれかに従属する発明として、
２次元撮影を行うための２次元撮影手段と、
２次元撮影用の絞り部と３次元撮影用の絞り部を切り替えることにより２次元撮影と３次元撮影のいずれかを選択する選択手段と、
を更に備え、
前記撮影制御手段は、前記選択手段により２次元撮影が選択された場合に、前記２次元撮影手段による２次元撮影の制御を行い、３次元撮影が選択された場合に、前記第１の３次元撮影手段或いは第２の３次元撮影手段による３次元撮影の制御を行う、
ようにしたことを特徴とする、請求項５記載の発明であってもよい。
【手続補正７】
【補正対象書類名】明細書
【補正対象項目名】００１１
【補正方法】変更
【補正の内容】
【００１１】
請求項１〜請求項５のいずれかに従属する発明として、
前記検出手段は、当該撮像装置が重力方向に対して縦向きの場合に、更に当該撮像装置が上下反転の関係にある正立状態か倒立状態かを検出し、
前記撮影制御手段は、前記検出手段により検出された正立状態か倒立状態かに応じて、前記第２の３次元撮影手段における３次元撮影を制御する、
ようにしたことを特徴とする、請求項６記載の発明であってもよい。
また、上述した課題を解決するために請求項７記載の発明は、
光学レンズから絞り部を通して撮像素子に結像される被写体像を撮影する撮像装置における撮像方法であって、
当該撮像装置が重力方向に対して縦向きの場合に３次元撮影を行うためのステップと、
当該撮像装置が重力方向に対して横向きの場合に３次元撮影を行うためのステップと、
当該撮像装置の重力方向に対する向きを検出するステップと、
前記検出された当該撮像装置の重力方向に対する向きに応じて、前記縦向きの３次元撮影或いは前記横向きの３次元撮影に切り替えることにより、１の光学レンズ又は１の撮像素子を共用して３次元撮影を制御するステップと、
を含むことを特徴とする。
【手続補正８】
【補正対象書類名】明細書
【補正対象項目名】００１２
【補正方法】変更
【補正の内容】
【００１２】
また、上述した課題を解決するために請求項８記載の発明は、
光学レンズから絞り部を通して撮像素子に結像される被写体像を撮影する撮像装置のコンピュータに対して、
当該撮像装置が重力方向に対して縦向きの場合に３次元撮影を行うための機能と、
当該撮像装置が重力方向に対して横向きの場合に３次元撮影を行うための機能と、
当該撮像装置の重力方向に対する向きを検出する機能と、
前記検出された当該撮像装置の重力方向に対する向きに応じて、前記縦向きの３次元撮影或いは前記横向きの３次元撮影に切り替えることにより、１の光学レンズ又は１の撮像素子を共用して３次元撮影を制御する機能と、
を実現させるためのプログラム、であることを特徴とする。
【手続補正９】
【補正対象書類名】特許請求の範囲
【補正対象項目名】全文
【補正方法】変更
【補正の内容】
【特許請求の範囲】
【請求項１】
光学レンズから絞り部を通して撮像素子に結像される被写体像を撮影する撮像装置であって、
当該撮像装置が重力方向に対して縦向きの場合に３次元撮影を行うための第１の３次元撮影手段と、
当該撮像装置が重力方向に対して横向きの場合に３次元撮影を行うための第２の３次元撮影手段と、
当該撮像装置の重力方向に対する向きを検出する検出手段と、
前記検出手段により検出された当該撮像装置の重力方向に対する向きに応じて、前記第１の３次元撮影手段或いは前記第２の３次元撮影手段に切り替えることにより、１の光学レンズ又は１の撮像素子を共用して３次元撮影を制御する撮影制御手段と、
を備えることを特徴とする撮像装置。
【請求項２】
前記絞り部は、前記光学レンズと前記撮像素子の間に挿入されていてその光軸の両側に離間してそれぞれ形成されている２つの孔を有し、
前記第１の３次元撮影手段及び第２の３次元撮影手段は、前記２つの孔を順次択一的に開放しながらその孔を通して前記撮像素子にそれぞれ結像された２つの被写体像を、視差を持った２つの被写体像として取得する構成であり、かつ、前記第１の３次元撮影手段と第２の３次元撮影手段とは、前記光軸を通る直線上に前記２つの孔が並んでいる状態での並びの向きが略９０°それぞれ異なる、
ようにしたことを特徴とする請求項１記載の撮像装置。
【請求項３】
前記第１の３次元撮影手段用と第２の３次元撮影手段用に独立に前記２つの孔を有する絞り部を有する、
ようにしたことを特徴とする請求項２記載の撮像装置。
【請求項４】
前記２つの孔を有する絞り部を略９０°回転駆動させることによりその絞り部を前記第１の３次元撮影手段用とするか前記第２の３次元撮影手段用とするかに切り替える切り替え手段を更に備える、
ようにしたことを特徴とする請求項２記載の撮像装置。
【請求項５】
２次元撮影を行うための２次元撮影手段と、
２次元撮影用の絞り部と３次元撮影用の絞り部を切り替えることにより２次元撮影と３次元撮影のいずれかを選択する選択手段と、
を更に備え、
前記撮影制御手段は、前記選択手段により２次元撮影が選択された場合に、前記２次元撮影手段による２次元撮影の制御を行い、３次元撮影が選択された場合に、前記第１の３次元撮影手段或いは第２の３次元撮影手段による３次元撮影の制御を行う、
ようにしたことを特徴とする請求項１〜請求項４のいずれかに記載の撮像装置。
【請求項６】
前記検出手段は、当該撮像装置が重力方向に対して縦向きの場合に、更に当該撮像装置が上下反転の関係にある正立状態か倒立状態かを検出し、
前記撮影制御手段は、前記検出手段により検出された正立状態か倒立状態かに応じて、前記第２の３次元撮影手段における３次元撮影を制御する、
ようにしたことを特徴とする請求項１〜請求項５のいずれかに記載の撮像装置。
【請求項７】
光学レンズから絞り部を通して撮像素子に結像される被写体像を撮影する撮像装置における撮像方法であって、
当該撮像装置が重力方向に対して縦向きの場合に３次元撮影を行うためのステップと、
当該撮像装置が重力方向に対して横向きの場合に３次元撮影を行うためのステップと、
当該撮像装置の重力方向に対する向きを検出するステップと、
前記検出された当該撮像装置の重力方向に対する向きに応じて、前記縦向きの３次元撮影或いは前記横向きの３次元撮影に切り替えることにより、１の光学レンズ又は１の撮像素子を共用して３次元撮影を制御するステップと、
を含むことを特徴とする撮像方法。
【請求項８】
光学レンズから絞り部を通して撮像素子に結像される被写体像を撮影する撮像装置のコンピュータに対して、
当該撮像装置が重力方向に対して縦向きの場合に３次元撮影を行うための機能と、
当該撮像装置が重力方向に対して横向きの場合に３次元撮影を行うための機能と、
当該撮像装置の重力方向に対する向きを検出する機能と、
前記検出された当該撮像装置の重力方向に対する向きに応じて、前記縦向きの３次元撮影或いは前記横向きの３次元撮影に切り替えることにより、１の光学レンズ又は１の撮像素子を共用して３次元撮影を制御する機能と、
を実現させるためのプログラム。